(57)【特許請求の範囲】
【請求項１】
身体の眼窩周囲領域を清浄するためのシステムであって、
レバーに取外し可能に結合されたアプリケータと、
圧電効果を示すように構成された１つまたは複数の圧電材料を含み、前記アプリケータと反対側で前記レバーに回転可能に結合された圧電ビームであって、前記レバーと反対側の端部で固定され、電源に動作可能に結合された圧電ビームと、
前記圧電ビームの平面における前記圧電ビームの一部分および前記アプリケータを振動させるように構成された回路と、
振動平面において前記圧電ビームの側面に位置し、前記圧電ビームの振動を制限するように構成されたシースと、
を備える、身体の眼窩周囲領域を清浄するためのシステム。
【請求項２】
前記レバーが、前記圧電ビームの前記一部分の前記振動に対して前記アプリケータの前記振動を増幅するように構成される、請求項１に記載のシステム。
【請求項３】
前記圧電ビームの前記一部分の前記振動を制限するように構成されたシースをさらに備える、請求項１に記載のシステム。
【請求項４】
前記回路が、眼腔の共振周波数を含まない周波数で、前記圧電ビームの前記一部分および前記アプリケータを振動させるようにさらに構成される、請求項１に記載のシステム。
【請求項５】
前記回路が、処理期間の後にハプティックフィードバックを与えるようにさらに構成される、請求項１に記載のシステム。
【請求項６】
前記回路は、前記アプリケータへの負荷が限度を超えるとき、ハプティックフィードバックを与えるようにさらに構成される、請求項１に記載のシステム。
【請求項７】
クレンジング流体を収容する貯蔵器をさらに含み、
前記貯蔵器が、前記圧電ビームに結合され、前記圧電ビームの前記一部分の前記振動で前記クレンジング流体を放出するように構成される、請求項１に記載のシステム。
【請求項８】
前記アプリケータが、クレンジング液を収容するように構成される、請求項１に記載のシステム。
【請求項９】
前記圧電ビームが、バイモルフ圧電ビームである、請求項１に記載のシステム。
【請求項１０】
身体の眼窩周囲領域を清浄するためのシステムであって、
圧電効果を示すように構成された１つまたは複数の圧電材料を含み、第１の端部領域で固定された圧電ビームであって、電源に動作可能に結合された圧電ビームと、
前記第１の端部領域と反対側の前記圧電ビームの第２の端部領域に回転可能に結合されたレバーと、
前記圧電ビームの前記第２の端部領域と反対側で前記レバーと取外し可能に結合するように構成されたアプリケータと、
前記圧電ビームの平面における前記圧電ビームの一部分および前記アプリケータを振動させるように構成された回路と、
振動平面において前記圧電ビームの側面に位置し、前記圧電ビームの振動を制限するように構成されたシースと、
を備える、身体の眼窩周囲領域を清浄するためのシステム。
【請求項１１】
前記アプリケータが、前記圧電ビームの前記第２の端部領域と反対側で前記レバーと取外し可能に結合するように構成された複数のアプリケータのうちの１つである、請求項１０に記載のシステム。
【請求項１２】
前記複数のアプリケータが個々にパッケージングに収容される、請求項１１に記載のシステム。
【請求項１３】
前記アプリケータが、クレンジング液に収容される、請求項１０に記載のシステム。
【請求項１４】
前記アプリケータが、無菌パッケージに収容される、請求項１０に記載のシステム。
【請求項１５】
前記圧電ビームと取外し可能に結合するように構成された貯蔵器をさらに含み、
前記貯蔵器が、クレンジング液を収容する、請求項１０に記載のシステム。
【請求項１６】
眼窩周囲領域を清浄する方法であって、
アプリケータを前記眼窩周囲領域と接触させるステップと、
前記アプリケータと結合され、圧電効果を示すように構成された１つまたは複数の圧電材料を含む圧電ビームに振動電圧を印加することによって、前記アプリケータを振動させるステップと、
を含んでなる眼窩周囲領域を清浄する方法において、
前記圧電ビームの振動を制限するように構成されたシースが、振動平面において前記圧電ビームの側面に位置している、眼窩周囲領域を清浄する方法。
【請求項１７】
第１の端部領域で前記圧電ビームに回転可能に結合され、第２の端部領域で前記アプリケータと取外し可能に結合されたレバーを用いて、前記圧電ビームの振動に対して前記アプリケータの前記振動を増幅するステップをさらに含む、請求項１６に記載の方法。
【請求項１８】
前記圧電ビームに結合された貯蔵器からクレンジング液を放出するステップをさらに含み、
前記貯蔵器が、前記圧電ビームの振動によって圧縮される、請求項１６に記載の方法。
【発明の詳細な説明】
【技術分野】
【０００１】
本開示の例は、メークアップ、詳細には、身体の眼窩周囲領域に施されるアイメークアップを除去することに関連する問題に対処しようとする。
【発明の概要】
【課題を解決するための手段】
【０００２】
この点について、本明細書で説明する例は、圧電ビームに直接的または間接的に、取外し可能に結合されたアプリケータを含み、アプリケータを振動させ、身体の一部分からメークアップを除去するように構成されたシステムに関係する。本明細書で説明するシステムは、したがって、メークアップを除去し、たとえば目に感染を起こすまたは場合によっては損傷を与えるのを防ぐように構成される。
【０００３】
一態様では、本開示は、一般的に、レバーと取外し可能に結合されたアプリケータと、アプリケータと反対側でレバーに回転可能に結合され、レバーと反対側の端部で固定され、電源に動作可能に結合された圧電ビームと、圧電ビームの一部分およびアプリケータを振動させるように構成された回路とを含むシステムを提供する。
【０００４】
別の態様では、本開示は、一般的に、第１の端部領域に固定され、電源に動作可能に結合された圧電ビームと、第１の端部領域と反対側の圧電ビームの第２の端部領域に回転可能に結合されたレバーと、圧電ビームの第２の端部領域と反対側でレバーと取外し可能に結合されるように構成されたアプリケータと、圧電ビームの一部分およびアプリケータを振動させるように構成された回路とを含むシステムを提供する。
【０００５】
本明細書で開示する実施形態のいずれかによれば、レバーは、圧電ビームの一部分の振動に対してアプリケータの振動を増幅するように構成される。
【０００６】
本明細書で開示する実施形態のいずれかによれば、システムは、圧電ビームの一部分の振動を制限するように構成されたシースを含む。
【０００７】
本明細書で開示する実施形態のいずれかによれば、回路は、眼腔（ｏｃｕｌａｒ  ｃａｖｉｔｙ）の共振周波数を含まない周波数で、圧電ビームの一部分およびアプリケータを振動させるようにさらに構成される。
【０００８】
本明細書で開示する実施形態のいずれかによれば、回路は、処理期間の後にハプティックフィードバックを与えるようにさらに構成される。
【０００９】
本明細書で開示する実施形態のいずれかによれば、回路は、アプリケータへの負荷が限度を超えるとき、ハプティックフィードバックを与えるようにさらに構成される。
【００１０】
本明細書で開示する実施形態のいずれかによれば、システムは、クレンジング流体を収容する貯蔵器を含み、貯蔵器は、圧電ビームに結合され、圧電ビームの一部分の振動でクレンジング流体を放出するように構成される。
【００１１】
本明細書で開示する実施形態のいずれかによれば、アプリケータは、生物学的汚染を受けにくい。
【００１２】
本明細書で開示する実施形態のいずれかによれば、アプリケータは、角膜をこするのを防ぐ速度および継続時間で振動するように構成される。
【００１３】
本明細書で開示する実施形態のいずれかによれば、アプリケータは、クレンジング液を収容するように構成される。
【００１４】
本明細書で開示する実施形態のいずれかによれば、圧電ビームは、バイモルフ圧電ビームである。
【００１５】
本明細書で開示する実施形態のいずれかによれば、アプリケータは、圧電ビームの第２の端部領域と反対側でレバーと取外し可能に結合するように構成された複数のアプリケータのうちの１つである。
【００１６】
本明細書で開示する実施形態のいずれかによれば、複数のアプリケータは個々に、パッケージングに収容される。
【００１７】
本明細書で開示する実施形態のいずれかによれば、アプリケータは、クレンジング液に収容される。
【００１８】
本明細書で開示する実施形態のいずれかによれば、アプリケータは、無菌パッケージに収容される。
【００１９】
本明細書で開示する実施形態のいずれかによれば、システムは、圧電ビームと取外し可能に結合するように構成された貯蔵器を含み、貯蔵器は、クレンジング液を収容する。
【００２０】
別の態様では、本開示は、アプリケータを眼窩周囲領域と接触させるステップと、アプリケータと結合された圧電ビームに振動電圧を印加することによってアプリケータを振動させるステップとを一般的に含む、眼窩周囲領域を清浄する方法を提供する。
【００２１】
本明細書で開示する実施形態のいずれかによれば、方法は、第１の端部領域で圧電ビームに回転可能に結合され、第２の端部領域でアプリケータと取外し可能に結合されたレバーを用いて、圧電ビームの振動に対してアプリケータの振動を増幅するステップを含む。
【００２２】
本明細書で開示する実施形態のいずれかによれば、方法は、圧電ビームに結合された貯蔵器からクレンジング液を放出するステップを含み、貯蔵器は、圧電ビームの振動によって圧縮される。
【００２３】
上記の概要は、以下の発明を実施するための形態でさらに説明する概念の抜粋を簡略化して紹介するために提供される。この概要は、特許請求される主題の主要な特徴を特定することを意図するものではなく、特許請求される主題の範囲の決定に役立つものとして使用されることを意図するものでもない。
【００２４】
特許請求される主題の前述の態様および付随する利点の多くは、添付の図面とともに行う、以下の詳細な説明への参照により、より良く理解されるようになると、より容易に諒解されるようになるであろう。
【図面の簡単な説明】
【００２５】
【図１】本開示の一態様によるシステムの側面図である。
【図２】本開示の一態様による別のシステムの側面図である。
【図３Ａ】本開示の一態様による別のシステムの側面図である。
【図３Ｂ】本開示の一態様によるシステムに結合可能なアプリケータであって、パッケージングによって収容されるアプリケータの側面図である。
【図４】本開示の一態様によるシステムの概略図の側面図である。
【図５】本開示の一態様によるシステムの概略図の上面図である。
【図６】部分的な断面の図５のシステムの概略図の側面図である。
【図７Ａ】本開示の一態様によるアプリケータの正面図である。
【図７Ｂ】図７Ａのアプリケータの斜視図である。
【発明を実施するための形態】
【００２６】
添付の図面に関して以下に記載する詳細な説明は、開示する主題の様々な実施形態の説明となることを意図しており、唯一の実施形態を表すことを意図していない。本開示で説明する各実施形態は、単に例または例示として提供しており、他の実施形態より好ましいまたは有利であると解釈されるべきではない。本明細書で提供する例示的な例は、網羅的であること、または特許請求される主題を開示される厳密な形態に限定することを目的とするものではない。
【００２７】
本開示は、一般に手持ち式のパーソナルケア器具、システム、および方法に関する。一般的に説明する、パーソナルケア器具は、典型的に、所望の機能的効果を作り出すために、皮膚または身体の他の部分の一部分を清浄するまたは場合によっては処理するためのエンドエフェクタまたは器具を含む。そのような器具の例には、電動ブラシなどの電動クレンザーが含まれる。
【００２８】
メークアップ、特にアイメークアップは、皮膚の一部分に塗布されると、しばしば持続するものであり、除去するにはクレンジング液および攪拌を必要とすることが多い。しかしながら、アイメークアップが施されることが多い、身体の眼窩周囲領域は、メークアップの除去に特定の難題がある。身体の眼窩周囲領域および周辺部位は敏感であり、眼瞼皮膚は薄く、もろい。さらに眼は、汚れたクレンジングデバイスの利用から細菌に容易に感染する可能性がある。加えて、眼自体が、たとえば角膜をこすることによって、容易に損傷を受けるおそれがある。さらに、共振電気機械パーソナルケア器具に対して、眼腔が共振周波数を有し、眼腔のこの共振周波数でまたはこれの近くで共振力（ｒｅｓｏｎａｎｔ  ｆｏｒｃｅ）をかけると、眼に損傷を与える、または眼の位置を変える場合がある。
【００２９】
そのために、以下の説明は、圧電ビームに取外し可能に結合されるアプリケータを含むシステムの例を示す。以下でより詳細に説明するように、圧電ビームは、振動するように構成され、その結果として圧電ビームはアプリケータを振動させる。その点について、以下でより詳細に説明するように、圧電ビームは、身体の眼窩周囲領域に施された、アイメークアップなどのメークアップを除去するために安全かつ効果的な方法でアプリケータを振動させるように構成される。
【００３０】
以下の説明では、本開示の１つまたは複数の実施形態の十分な理解を実現するために、多数の具体的詳細が記載されている。しかしながら、本開示の多くの実施形態は、具体的詳細のいくつかまたはすべてがなくても実践され得ることは、当業者には明らかであろう。いくつかの例では、周知のプロセスステップは、本開示の様々な態様を不必要に曖昧にしないために、詳細に説明されていない。さらに、本開示の実施形態は、本明細書で説明する特徴の任意の組合せを使用してもよいことは諒解されよう。
【００３１】
図１は、圧電ビーム４０と、アプリケータ８０とを含む、個人の手持ち式器具として本明細書に示す、代表的システム２０を示す。一実施形態では、アプリケータ８０は、眼窩周囲領域への塗布、およびこれの清浄のために構成される。アプリケータ８０材料の非限定的な例には、耐薬品性材料、アプリケータ要素の圧縮および膨張を可能にする弾性材料、エラストマー（たとえば、ＰＶＣ、ＰＵ、ＥＶＡ、ニトリル、シリコーン、ブチル、ＳＩＳ、ＳＥＢＳ、ＥＰＤＭなど）、エチレンプロピレンジエンゴム、場合によっては織物ｃ材料で覆われた軟質エラストマー熱圧縮フォーム（ｆｌｅｘｉｂｌｅ  ｅｌａｓｔｏｍｅｒｉｃ  ｔｈｅｒｍｏ−ｃｏｍｐｒｅｓｓｅｄ  ｆｏａｍ）、フルオロシリコーン、天然または合成スポンジ材料、ポリマー、ゴムなどが含まれる。
【００３２】
一実施形態では、アプリケータ８０の少なくとも一部分が、１つまたは複数のスポンジ形成材料を含む。一実施形態では、アプリケータ８０の少なくとも一部分が、１つまたは複数のエラストマー材料を含む。一実施形態では、アプリケータ８０の少なくとも一部分が、１つまたは複数のポリマー材料を含む。一実施形態では、アプリケータ８０の少なくとも一部分が、シリコーンを含む。一実施形態では、アプリケータ８０の少なくとも一部分が、００〜４０の範囲のショア００硬度を有する材料から形成される。一実施形態では、アプリケータ８０の少なくとも一部分が、００〜３０の範囲のショア００硬度を有する材料から形成される。たとえば、一実施形態では、アプリケータ８０の少なくとも一部分が、００〜３０の範囲のショア００硬度を有する特別柔らかいシリコーンから形成される。
【００３３】
図のように、レバー６０が、圧電ビーム４０およびアプリケータ８０を相互接続する。この点において、圧電ビーム４０は、アプリケータ８０と反対側でレバー６０に回転可能に結合される。その上、図のように、レバー６０と反対側の圧電ビーム４０の端部は、端部４２に固定される。この点について、以下でより詳細に説明するように、圧電ビーム４０は、圧電ビームが振動電源（図示せず）に動作可能に結合されるとき、アプリケータ８０を振動させるように構成される。
【００３４】
圧電ビーム４０は、圧電効果を示すように構成された１つまたは複数の圧電材料を含み、１つまたは複数の圧電材料は、その中の電荷の蓄積に応じて変形する。そのような圧電材料は、ある周波数で振動するのに好適な任意の圧電材料を含む。好適な圧電材料には、たとえば、圧電結晶、圧電高分子、圧電半導体などが含まれる。
【００３５】
一実施形態では、レバー６０は、圧電ビーム４０に回転可能に結合される。一実施形態では、レバー６０は、圧電ビーム４０に対してレバー６０の回転を容易にするように構成されたヒンジ６２を含む。この点について、レバー６０は、端部４２で固定されていない圧電ビーム４０の一部分の振動に対してアプリケータ８０の振動を増幅するように構成される。圧電ビーム４０の一部分が振動すると、レバー６０は、圧電ビーム４０のその振動部分の振動の限度を超えて自由に回転し、それによってさらにアプリケータ８０の振動を増幅させる。
【００３６】
やはり図１を参照すると、一実施形態ではシステム２０は、クレンジング流体１０６を収容する、包含する、または場合によってはこれに関連する貯蔵器１００を含む。図のように、貯蔵器１００は、動きに逆らって固定され、圧電ビーム４０の動きが貯蔵器１００にクレンジング流体１０６を放出させるように圧電ビーム４０に対して配置される。一実施形態では、貯蔵器１００は、圧電ビーム４０の振動によって生成された力を貯蔵器１００に物理的に伝える連結器１０８によって圧電ビーム４０に結合される。一実施形態では、貯蔵器１００は、圧電ビーム４０および連結器１０８の振動によって圧縮され、それによってクレンジング流体１０６の一部を放出する。
【００３７】
一実施形態では、貯蔵器１００は、システム２０に取外し可能に結合可能である。この点について、貯蔵器１００は、たとえば、クレンジング流体１０６が貯蔵器１００から完全に放出されたとき、交換することができる。
【００３８】
一実施形態では、システム２０は、貯蔵器１００と、関連するクレンジング流体１０６とを含み、アプリケータ８０の一部分にクレンジング流体１０６を放出するように構成される。この点について、一実施形態では貯蔵器１００は、クレンジング流体１０６と流体連絡している注ぎ口１０４を含み、アプリケータ８０の一部分にクレンジング流体１０６を放出するように構成される。結果として、システム２０は、クレンジング流体１０６をアプリケータ８０に提供し、アプリケータ８０が身体の眼窩周囲領域に当てられるとき、眼窩周囲領域を清浄するのを支援するように構成される。
【００３９】
一実施形態では、システム２０は、圧電ビーム４０を含み、圧電ビーム４０の少なくとも一部分は、振動電圧が圧電ビーム４０に印加されるとき、振動するように構成される。しかしながら、いくつかの実施形態では、使用される圧電材料はもろい場合があり、特定の変位を超えて変形すると壊れる可能性がある。その点について、ここで図２に注目すると、圧電ビーム４０を含む、システム２０の別の代表的な実施形態が示されている。図のように、この実施形態のシステム２０は、圧電ビーム４０の振動変位を制限するように構成されたシース４４を含む。一実施形態では、シース４４は、圧電ビーム４０の少なくとも一部分を囲み、それによってそれの振動を制限する。一実施形態では、圧電ビーム４０は平面で振動し、シース４４の部分は、振動平面において圧電ビーム４０の側面に位置し、それによって圧電ビーム４０の振動を制限する。一実施形態では、シース４４は、端部４２に結合され、圧電ビーム４０の長さの一部に沿って伸びる。一実施形態では、シース４４は、実質的に圧電ビーム４０の全長に沿って伸びる。
【００４０】
一実施形態では、システム２０は、約１５ミリメートル〜約１ミクロンの範囲で振動中にアプリケータ８０を変位させるように構成される。一実施形態では、システム２０は、約１０ミリメートル〜約５ミクロンの範囲で振動中にアプリケータ８０を変位させるように構成される。一実施形態では、システム２０は、約５ミリメートル〜約１ミリメートルの範囲で振動中にアプリケータ８０を変位させるように構成される。一実施形態では、システム２０は、約１００ミクロン〜５０ミクロンの範囲で振動中にアプリケータ８０を変位させるように構成される。
【００４１】
圧電ビーム４０は、身体の眼窩周囲領域を清浄するために適切な周波数かつ好適な変位で、アプリケータを振動させるのに好適な任意の長さを有することができる。一実施形態では、圧電ビーム４０は、約１０ｃｍ〜約１ｃｍの長さを有する。一実施形態では、圧電ビーム４０は、約５ｃｍ〜約１ｃｍの長さを有する。一実施形態では、圧電ビーム４０は、約４ｃｍ〜約２ｃｍの長さを有する。
【００４２】
一実施形態では、システム２０は、システム２０の１つまたは複数の動作を制御するための電子機器を含む。その点について、図４に注目すると、本態様による、システム２０の代表的な実施形態が概略的に示されている。図示の実施形態では、電子機器は、コンピューティング装置１２０と、コンピューティング装置１２０に動作可能に結合された、充電式バッテリーなどの電力蓄積源１３０とを含む。コンピューティング装置１２０は、いくつかの実施形態では、圧電ビーム４０の動作を制御するように構成され、配置された、マイクロプロセッサ１２４およびメモリ１２６などの回路を含む。いくつかの実施形態では、メモリ１２６は、たとえば、マイクロプロセッサ１２４によって実行されると、たとえば、圧電ビームに振動電圧を印加し、それによって圧電ビーム４０の一部分およびアプリケータ８０を振動させることによって、圧電ビーム４０が処理計画またはプロトコルに従って操作されるようにする、１つまたは複数のプログラムを含む。
【００４３】
一実施形態では、回路１２２は、眼腔の共振周波数を含まない周波数で、圧電ビーム４０の一部分およびアプリケータ８０を振動させるようにさらに構成される。この点について、システム２０は、システム２０の操作中に眼腔および／またはその中に含まれている眼に損傷を与えることを防ぐように構成される。
【００４４】
一実施形態では、システム２０は、可聴周波数以下の周波数（ｓｕｂ−ｓｏｎｉｃ  ｆｒｅｑｕｅｎｃｙ）でアプリケータ８０を振動させるように構成される。一実施形態では、システム２０は、約２０Ｈｚ〜約１Ｈｚの周波数でアプリケータを振動させるように構成される。一実施形態では、システム２０は、可聴周波数（ｓｏｎｉｃ  ｆｒｅｑｕｅｎｃｙ）でアプリケータ８０を振動させるように構成される。一実施形態では、システム２０は、約２００Ｈｚ〜約２０Ｈｚの周波数でアプリケータを振動させるように構成される。この点について、システム２０は、固有摩擦周波数（ｎａｔｕｒａｌ  ｒｕｂｂｉｎｇ  ｆｒｅｑｕｅｎｃｙ）を模倣する周波数でアプリケータを振動させるように構成される。
【００４５】
一実施形態では、回路１２２は、処理期間の後にハプティックフィードバックを与えるようにさらに構成される。この点について、システム２０は、たとえば、第１の眼に対する提案される処理期間が完了し、第２の眼を洗浄すること、または場合によっては処理することを開始するよう使用者に提案するとき、使用者に信号を与えるように構成される。
【００４６】
一実施形態では、回路１２２は、アプリケータ８０への負荷が限度を超えるとき、ハプティックフィードバックを与えるようにさらに構成される。この点について、システム２０は、アプリケータ８０への負荷がたとえば、圧電ビーム４０に損傷を与える、もしくはこれを壊す、または眼窩周囲領域に損傷を与える可能性がある推奨限度を超えるとき、使用者に警告するように設計された信号を与えるように構成される。一実施形態では、回路１２２は、アプリケータ８０への負荷が約５０ｇ〜約１５０ｇの限度を超えるとき、ハプティックフィードバックを与えるように構成される。
【００４７】
一実施形態では、圧電ビーム４０は、バイモルフ圧電ビームである。その点について、図５および図６に注目すると、本態様による、バイモルフ圧電ビーム４０を含むシステム２０の代表的な実施形態が概略的に示されている。いくつかの実施形態のバイモルフ圧電ビーム４０は、第１の側で導電性部分５０に導電的に結合された第１の圧電素子４０ａを含む。その上、バイモルフ圧電素子は、導電性部分５０の第２の側に結合された第２の圧電素子４０ｂを含む。
【００４８】
一実施形態では、バイモルフ圧電ビーム４０は、いくつかのリード線１１０、１１２、１１４を介してコンピューティング装置に動作可能に結合される。この点について、システム２０は、いくつかの駆動モードに従って動作するように構成される。
【００４９】
一実施形態では、システム２０は、たとえば、リード線１１４とリード線１１２との間に正電圧が印加され、それによって第１の圧電素子４０ａに電荷を蓄積し、第１の方向にバイモルフ圧電ビーム４０の一部分を変位させる、片側電圧制御モードで動作するように構成される。同様に、片側電圧制御モードの別の実施形態によれば、リード線１１０とリード線１１２との間に負電圧が印加され、それによって第２の圧電素子４０ｂに電荷を蓄積し、第２の方向にバイモルフ圧電ビーム４０の一部分を変位させる。いくつかの実施形態では、バイモルフ圧電ビーム４０の少なくとも一部分を振動させるように構成されたバイモルフ圧電ビーム４０に、変化する電圧が印加される。
【００５０】
一実施形態では、システム２０は、バイモルフ圧電ビーム４０が、第１の方向と第２の方向で共に制御され得る、差動電圧制御モードで動作するように構成される。差動電圧制御モードでは、回路１２２は、たとえば、リード線１１４および１１０に差動電圧を与えるように構成される。変化する電圧が、たとえばリード線１１２に印加される。たとえば、７．５Ｖがリード線１１４に印加され、−７．５Ｖがリード線１１０に印加される。たとえば、７．５Ｖ〜−７．５Ｖで変化する電圧が、リード線１１２に印加される。この点について、システム２０は、第１の方向および第２の方向でバイモルフ圧電ビーム４０を変位させるように構成される。差動電圧制御モードは、片側電圧制御モードと同様の変位で、ただし最大印加電圧の約半分、したがって圧電ビーム４０の変位の約半分で、特定の方向に圧電ビームの一部分を振動させるように構成される。そのような駆動モードは、したがって、所与のアプリケータ８０の変位に対して片側電圧制御モードよりも圧電ビーム４０上に生じるひずみが少なく、いくつかの実施形態では好ましい場合がある。
【００５１】
上記のように、一実施形態では、回路１２２は、圧電ビーム４０に変化する電圧を与えるように構成される。一実施形態では、変化する電圧は、周期的に圧電ビーム４０を振動させるように構成された、周期的に変化する電圧である。周期的に変化する電圧は、圧電ビーム４０を振動させるのに好適な任意の周期的に変化する電圧であってもよい。一実施形態では、周期的に変化する電圧は、正弦波的に変化する。一実施形態では、周期的に変化する電圧は、方形波である。
【００５２】
一実施形態では、アプリケータ８０は、レバー６０に取外し可能に結合されるように構成され、したがって、別のアプリケータと交換することができる。その点について、図３Ａおよび図３Ｂに注目すると、複数のアプリケータ８０ａ〜ｄを含むシステム２０の代表的な実施形態が示されている。図のように、アプリケータ８０ａが、レバー６０に取外し可能に結合される。一実施形態では、アプリケータ８０は、連結器６４を介してシステム２０に取外し可能に結合される。一実施形態では、アプリケータ８０は、たとえば、連結器６４に備えられているねじ山と協働的に結合するように構成されたねじ山８８を含む。一実施形態では、アプリケータ８０および連結器の１つまたは複数は、接着剤（図示せず）を含む。一実施形態では、アプリケータ８０および連結器６４は、面ファスナー（図示せず）を含む。
【００５３】
この点について、アプリケータ８０ａは、たとえば、アプリケータ８０ａが汚れた、メークアップが染み込んだ、または場合によっては、身体の眼窩周囲領域を清浄するのに不適当であるとき、システム２０から外され、交換されるように構成される。
【００５４】
一実施形態では、複数のアプリケータ８０ａ〜８０ｄの１つまたは複数が個々にパッケージング８６に収容される。この点について、使用者が、複数のアプリケータ８０ｂ〜８０ｄの１つまたは複数を個々に収容するパッケージング８６の一部を選択的に開け、使用するために複数のアプリケータ８０ｂ〜８０ｄの１つまたは複数を取り外すことができる。図のように、一実施形態では、複数のアプリケータ８０ａ〜８０ｄの各々が、ねじ山８８ａ〜８８ｄと、身体の眼窩周囲領域に触れるように構成された塗布部分８１ａ〜８１ｄとを含む。
【００５５】
本明細書で説明するように、アプリケータ８０は、眼の眼窩周囲領域を清浄するために好適である。この点について、一実施形態では、アプリケータ８０は、眼の角膜をこすらないように構成される。したがって、一実施形態では、アプリケータは、眼の角膜のデュロメータよりも低いデュロメータを有する。
【００５６】
一実施形態では、アプリケータ８０は、眼窩周囲領域を清浄するために好適な材料を含む塗布部分８１を含む。一実施形態では、アプリケータ８０は、クレンジング流体１０６を吸収するように構成された、スポンジなどの多孔質材料を含む。一実施形態では、アプリケータ８０は、身体の眼窩周囲領域を清浄するために好適な、織布材料、不織布材料、天然繊維、合成繊維などから選択される材料を含む。
【００５７】
いくつかの実施形態のアプリケータ８０は、様々な密度および異なるデュロメータを有するいくつかの部分を含む。その点について、図７Ａおよび図７Ｂに注目すると、本態様によるアプリケータ８０の代表的な実施形態が示されている。本明細書にいくつかの実施形態により示すように、アプリケータ８０は、比較的低い第１のデュロメータを有し、まぶたを含む身体の眼窩周囲領域の一部分に触れるように構成された第１の部分９２を含む塗布部分８１を含む。一実施形態では、第１の部分９２は、角膜のデュロメータよりも低いデュロメータを有する。その上、一実施形態では、アプリケータ８０は、第１の領域９２を同心円状に囲む第２の部分９０を含み、第２の部分は、第１のデュロメータよりも高い第２のデュロメータを有する。この点について、アプリケータ８０は、角膜をこするまたは場合によっては傷つけることなく、メークアップで覆われている場合がある眼窩周囲領域の部分を清浄するように構成される。
【００５８】
一実施形態では、アプリケータ８０は、たとえば、身体の眼窩周囲領域を洗浄するために好適なクレンジング液８４に収容される。一実施形態では、アプリケータ８０は、無菌パッケージ８６に収容される。この点について、パッケージングを含むシステム２０は、眼に感染を起こすリスクを回避するまたは制限するような方法で、眼窩周囲領域を清浄するのに好適である。
【００５９】
別の態様では、本開示は、身体の眼窩周囲領域を清浄する方法を提供する。一実施形態では、方法は、アプリケータを眼窩周囲領域と接触させるステップと、アプリケータと結合された圧電ビームに振動電圧を印加することによってアプリケータを振動させるステップとを含む。一実施形態では、方法は、本明細書の他の場所で説明する、アプリケータ８０を含むシステム２０と、眼窩周囲領域を接触させるステップを含む。上記のように、圧電ビーム４０などの圧電ビームに振動電圧を印加することによって、圧電ビームおよびアプリケータは、印加された振動電圧に従って振動する。
【００６０】
一実施形態では、方法は、第１の端部領域で圧電ビームに回転可能に結合され、第２の端部領域でアプリケータと取外し可能に結合されたレバー６０を用いて、圧電ビーム、たとえば圧電ビーム４０の振動に対してアプリケータの振動を増幅するステップを含む。本明細書の他の場所で説明するように、圧電ビームの振動に対してアプリケータ、たとえばアプリケータ８０の振動を増幅することによって、圧電ビーム変位が小さくなることにより、圧電ビーム上のストレスが軽減され得る。
【００６１】
一実施形態では、方法は、圧電ビームに結合された貯蔵器からクレンジング液を放出するステップを含む。一実施形態では、クレンジング液は、貯蔵器から、アプリケータの少なくとも一部分に放出される。一実施形態では、クレンジング液は、貯蔵器から、眼窩周囲領域の少なくとも一部分に放出される。上記のように、一実施形態では、貯蔵器、たとえば貯蔵器１０６は、連結器１０８などの連結器を介した圧電ビーム、たとえば圧電ビーム４０の振動によって圧縮され、それによってクレンジング流体１０６を放出する。
【００６２】
本明細書で開示するいくつかの実施形態は、処理プロトコルを実施すること、２つ以上の構成要素を動作可能に結合すること、情報を生成すること、動作状態を決定すること、器具または方法を制御することなどを行うために、回路を利用する。任意のタイプの回路を使用することができる。一実施形態では、回路は、特に、プロセッサ（たとえば、マイクロプロセッサ）、中央処理ユニット（ＣＰＵ）、デジタル信号プロセッサ（ＤＳＰ）、特定用途向け集積回路（ＡＳＩＣ）、フィールドプログラマブルゲートアレイ（ＦＰＧＡ）など、またはそれらの任意の組合せなどの１つまたは複数のコンピューティングデバイスを含み、ディスクリートデジタルまたはアナログ回路要素または電子機器、またはそれらの組合せを含むことができる。一実施形態では、回路は、複数のあらかじめ定義された論理構成要素を有する１つまたは複数のＡＳＩＣを含む。一実施形態では、回路は、複数のプログラマブル論理構成要素を有する１つまたは複数のＦＰＧＡを含む。
【００６３】
一実施形態では、回路は、ハードウェア回路実装形態（たとえば、アナログ回路での実装形態、デジタル回路での実装形態など、およびそれらの組合せ）を含む。一実施形態では、回路は、回路と、本明細書で説明する１つまたは複数の方法または技術をデバイスに行わせるために一緒に動作する１つまたは複数のコンピュータ可読メモリにソフトウェアまたはファームウェア命令を記憶したコンピュータプログラム製品の組合せを含む。一実施形態では、回路は、動作のためにソフトウェア、ファームウェアなどを必要とする、たとえば、マイクロプロセッサ、またはマイクロプロセッサの一部分などの回路を含む。一実施形態では、回路は、１つまたは複数のプロセッサまたはそれの一部分と、付随するソフトウェア、ファームウェア、ハードウェアなどを含む実装形態を含む。一実施形態では、回路は、サーバ、セルラーネットワークデバイス、他のネットワークデバイス、または他のコンピューティングデバイスにおける、ベースバンド集積回路またはアプリケーションプロセッサ集積回路または同様の集積回路を含む。一実施形態では、回路は、１つまたは複数の遠隔に位置する構成要素を含む。一実施形態では、遠隔に位置する構成要素は、ワイヤレス通信を介して動作可能に結合される。一実施形態では、遠隔に位置する構成要素は、１つまたは複数の受信機、送信機、トランシーバなどを介して動作可能に結合される。
【００６４】
一実施形態では、回路は、たとえば、命令またはデータを記憶する１つまたは複数のメモリデバイスを含む。１つまたは複数のメモリデバイスの非限定的な例には、揮発性メモリ（たとえば、ランダムアクセスメモリ（ＲＡＭ）、ダイナミックランダムアクセスメモリ（ＤＲＡＭ）など）、不揮発性メモリ（たとえば、読取り専用メモリ（ＲＯＭ）、電気的消去可能プログラマブル読取り専用メモリ（ＥＥＰＲＯＭ）、コンパクトディスク読取り専用メモリ（ＤＣ−ＲＯＭ）など）、永続性メモリ（ｐｅｒｓｉｓｔｅｎｔ  ｍｅｍｏｒｙ）などが含まれる。１つまたは複数のメモリデバイスのさらなる非限定的な例には、消去可能プログラマブル読取り専用メモリ（ＥＰＲＯＭ）、フラッシュメモリなどが含まれる。１つまたは複数のメモリデバイスは、たとえば、１つまたは複数の命令、データ、または電力バスによって１つまたは複数のコンピューティングデバイスに結合され得る。
【００６５】
一実施形態では、システム２０の回路は、１つまたは複数のコンピュータ可読媒体ドライブ、インターフェースソケット、ユニバーサルシリアルバス（ＵＳＢ）、メモリカードスロットなど、および、たとえばグラフィカルユーザインターフェース、ディスプレイ、キーボード、キーパッド、トラックボール、ジョイスティック、タッチスクリーン、マウス、スイッチ、ダイヤルなどの１つまたは複数の入力／出力構成要素、および任意の他の周辺デバイスを含む。一実施形態では、回路は、システム２０による循環運動の適用に関連する少なくとも１つのパラメータを制御する（電気的、電気機械的、ソフトウェア実装、ファームウェア実装、または他の制御、またはそれらの組合せ）ために、少なくとも１つのコンピューティングデバイスに動作可能に結合され、たとえば、システム２０のエンドエフェクタの持続時間およびピークサイクリックまたは振動数を制御する、１つまたは複数のユーザ入力／出力構成要素を含む。
【００６６】
一実施形態では、システム２０の回路は、信号担持媒体（ｓｉｇｎａｌ−ｂｅａｒｉｎｇ  ｍｅｄｉｕｍ）（たとえば、コンピュータ可読メモリ媒体、コンピュータ可読記録媒体など）を受け入れるように構成されたコンピュータ可読媒体ドライブまたはメモリスロットを含む。一実施形態では、開示する方法のいずれかをシステムに実行させるためのプログラムが、たとえば、コンピュータ可読記録媒体（ＣＲＭＭ）、信号担持媒体などに記憶され得る。信号担持媒体の非限定的な例には、任意の形態のフラッシュメモリ、磁気テープ、フロッピーディスク、ハードディスクドライブ、コンパクトディスク（ＣＤ）、デジタルビデオディスク（ＤＶＤ）、ブルーレイディスク、デジタルテープ、コンピュータメモリなどの記録可能なタイプの媒体、ならびにデジタルおよび／またはアナログ通信媒体（たとえば、光ファイバーケーブル、導波路、有線通信リンク、ワイヤレス通信リンク）などの送信タイプの媒体（たとえば、送信機、受信機、トランシーバ、送信論理、受信論理など）が含まれる。信号担持媒体のさらなる非限定的な例には、限定はしないが、ＤＶＤ−ＲＯＭ、ＤＶＤ−ＲＡＭ、ＤＶＤ＋ＲＷ、ＤＶＤ−ＲＷ、ＤＶＤ−Ｒ、ＤＶＤ＋Ｒ、ＣＤ−ＲＯＭ、スーパーオーディオＣＤ、ＣＤ−Ｒ、ＣＤ＋Ｒ、ＣＤ＋ＲＷ、ＣＤ−ＲＷ、ビデオコンパクトディスク、スーパービデオディスク、フラッシュメモリ、磁気テープ、光磁気ディスク、ＭＩＮＩＤＩＳＣ、不揮発性メモリカード、ＥＥＰＲＯＭ、光ディスク、光記憶装置、ＲＡＭ、ＲＯＭ、システムメモリ、ウェブサーバなどが含まれる。
【００６７】
本開示では、「上の」、「下の」、「垂直方向の」、「水平方向の」、「内側に」、「外側に」、「内の」、「外の」、「前の」、「後ろの」などの用語は、説明として解釈されるべきであり、特許請求される主題の範囲を限定しないことに留意されたい。さらに、本明細書での「含む」、「備える」、または「有する」、およびそれらの変形の使用は、その後に列挙する項目、それらの同等物ならびに追加の項目を含むように意図されている。別段に限定されない限り、本明細書中の「接続された」、「結合された」、および「取り付けられた」という用語、およびそれらの変形は、広範囲に使用され、直接および間接的接続、結合、および取付けを包含する。「約」という用語は、提示する値のプラスまたはマイナス５％を意味する。
【００６８】
本開示の原理、代表的な実施形態、および動作モードについて、上記の説明で述べた。しかしながら、保護されるよう意図される本開示の態様は、開示する特定の実施形態に限定されるものと解釈してはならない。さらに、本明細書で説明する実施形態は、限定的ではなく例示的と見なされるべきである。本開示の趣旨から逸脱することなく、変形形態および変化形態が他者によって作成され、同等形態が採用され得ることは諒解されよう。したがって、そのような変形形態、変化形態、および同等形態はすべて本開示の趣旨および範囲内に入ることが明確に意図される。
【００６９】
排他的所有権または特権が特許請求される本発明の実施形態は、以下のように定義される。
【符号の説明】
【００７０】
２０  システム
４０  圧電ビーム
４２  端部
４４  シース
５０  導電性部分
６０  レバー
６２  ヒンジ
６４  連結器
８０  アプリケータ
８１  塗布部分
８４  クレンジング液
８６  無菌パッケージ
８８  ねじ山
９０  第２の部分
９２  第１の部分
１００  貯蔵器
１０６  クレンジング流体
１０８  連結器
１１０  リード線
１１２  リード線
１１４  リード線
１２０  コンピューティング装置
１２２  回路
１２４  マイクロプロセッサ
１２６  メモリ
１３０  電力蓄積源
【図１】
0006917481.tif 000002
【図２】
0006917481.tif 000003
【図３Ａ】
0006917481.tif 000004
【図３Ｂ】
0006917481.tif 000005
【図４】
0006917481.tif 000006
【図５】
0006917481.tif 000007
【図６】
0006917481.tif 000008
【図７Ａ】
0006917481.tif 000009
【図７Ｂ】
0006917481.tif 000010